(57)【要約】  廃棄物を処理する処理システムおよび方法が開示されている。いくつかの例では、処理システム（１００）は、廃棄物（１０１）を受容するのに有効な容器（１０４）を含んでいてもよい。処理システム（１００）は、容器（１０４）と連通している１つまたは複数の濾過器（１０２）をさらに含んでいてもよい。単数または複数の濾過器（１０２）は、高分子担体物質（１０８）を含んでいてもよい。高分子担体物質（１０８）は、スフィンゴモナス属細菌、フラボバクテリウム目細菌、またはクリセオバクテリウム属細菌の少なくとも１つを含んでいてもよい。該処理システムおよび方法は、微生物の耐毒性を高め、ニトロベンゼンに対する毒物の効率的な生物学的除去を達成し、処理コストを低減し、固定化微生物技術を用いることにより標準に達する廃水の排出を実現する。それらは、ＴＮＴ廃水処理に適応可能であるばかりでなく、ニトロベンゼンおよびアニリンを含有する汚染物質ならびに有機廃水の処理にも適用可能である。
2013545596.tif 000002
【特許請求の範囲】
【請求項１】
廃棄物を受容するのに有効な容器と、
前記容器と連通している濾過器であって、前記濾過器は高分子担体物質を含み、前記高分子担体物質はスフィンゴモナス属細菌、フラボバクテリウム目細菌、またはクリセオバクテリウム属細菌の少なくとも１つを含む、濾過器と
を含む、処理システム。
【請求項２】
前記濾過器は、固定化微生物嫌気濾過器または固定化微生物生物学的曝気濾過器の少なくとも１つであり、
前記高分子担体物質はポリウレタンフォーム担体である、
請求項１に記載の処理システム。
【請求項３】
前記濾過器は、
３つのレベルの固定化微生物嫌気濾過器と、
５つのレベルの固定化微生物生物学的曝気濾過器と
を含む、請求項１に記載の処理システム。
【請求項４】
前記濾過器は、
前記高分子担体物質中にシュードモナス属種およびスフィンゴモナス属種を含む固定化微生物嫌気濾過器と、
前記高分子担体物質中にフラボバクテリウム目種およびクリセオバクテリウム属種を含む固定化微生物生物学的曝気濾過器と
を含む、請求項１に記載の処理システム。
【請求項５】
前記濾過器と連通している均等化槽であり、前記廃棄物を受容し、そのｐＨを約６から約９までに調整するのに有効である、均等化槽と、
前記濾過器と連通している沈殿槽であり、前記廃棄物から懸濁物を除去するのに有効である、沈殿槽と
をさらに含む、請求項１に記載の処理システム。
【請求項６】
前記廃棄物は有機廃水を含む、請求項１に記載の処理システム。
【請求項７】
前記廃棄物は、トリニトロトルエンの産出による有機廃水を含む、請求項１に記載の処理システム。
【請求項８】
トリニトロトルエンの前記産出による前記有機廃水は、ニトロベンゼンおよびフェニルアミンの少なくとも１つを含む、請求項７に記載の処理システム。
【請求項９】
廃棄物を処理する方法であって、
前記廃棄物を受容することと、
請求項１に記載の前記処理システムを用いて前記廃棄物を濾過することと
を含む、方法。
【請求項１０】
前記廃棄物を濾過することは、
濾過された廃棄物を産出するために、前記廃棄物を第１の濾過器に供給することであって、前記第１の濾過器は第１のポリウレタンフォーム担体物質および第１の細菌を含み、前記第１の細菌はスフィンゴモナス属細菌、フラボバクテリウム目細菌、およびクリセオバクテリウム属細菌の少なくとも１つである、供給することと、
前記濾過された廃棄物を第２の濾過器に供給することであって、前記第２の濾過器は、第２のポリウレタンフォーム担体物質および第２の細菌を含み、前記第２の細菌はスフィンゴモナス属細菌、フラボバクテリウム目細菌、およびクリセオバクテリウム属細菌の少なくとも１つである、供給することと
を含み、
前記第１の細菌は前記第２の細菌とは異なる、請求項９に記載の方法。
【請求項１１】
前記第１の濾過器は、シュードモナス属種細菌およびスフィンゴモナス属細菌を含む固定化微生物嫌気濾過器であり、
前記第２の濾過器は、フラボバクテリウム目細菌およびクリセオバクテリウム属細菌を含む固定化微生物生物学的曝気濾過器である、
請求項９に記載の方法。
【請求項１２】
前記第１の濾過器は、シュードモナス属種またはラオウルテラテリジェナ種の少なくとも１つをさらに含む、請求項１０に記載の方法。
【請求項１３】
前記第１の濾過器および前記第２の濾過器と連通している均等化槽に前記廃棄物を供給することであって、前記均等化槽は、前記廃棄物を受容し、そのｐＨを約６から約９までに調整するのに有効である、供給することと、
前記第１の濾過器および前記第２の濾過器と連通している沈殿槽に前記廃棄物を供給することであって、前記沈殿槽は前記廃棄物から懸濁物を除去するのに有効である、供給することと
をさらに含む、請求項９に記載の方法。
【請求項１４】
前記廃棄物は、トリニトロトルエンの産出による有機廃水を含む、請求項９に記載の方法。
【請求項１５】
前記有機廃水は、ニトロベンゼンおよびフェニルアミンの少なくとも１つを含む、請求項１４に記載の方法。
【請求項１６】
請求項１に記載の処理システムであって、前記濾過器は第１の濾過器である、処理システムと、
前記第１の濾過器と連通している第２の濾過器であって、前記第１の濾過器から濾過された廃棄物を受容するのに有効であり、第２の高分子担体物質中に第２の細菌を含み、前記第２の細菌はスフィンゴモナス属細菌、フラボバクテリウム目細菌、およびクリセオバクテリウム属細菌の１つである、第２の濾過器と
を含み、
前記第１の細菌は前記第２の細菌とは異なる、処理システム。
【請求項１７】
前記第１の濾過器は固定化微生物嫌気濾過器であり、
前記第２の濾過器は固定化微生物生物学的曝気濾過器であり、
前記第１の高分子担体物質はポリウレタンフォーム担体であり、
前記第２の高分子担体物質はポリウレタンフォーム担体である、
請求項１６に記載の処理システム。
【請求項１８】
前記第１の濾過器は、シュードモナス属種細菌およびスフィンゴモナス属細菌を含む固定化微生物嫌気濾過器であり、
前記第２の濾過器は、フラボバクテリウム目細菌およびクリセオバクテリウム属細菌を含む固定化微生物生物学的曝気濾過器である、
請求項１６に記載の処理システム。
【請求項１９】
トリニトロトルエンの産出による有機廃水をさらに含む、請求項１６に記載の処理システム。
【請求項２０】
前記有機廃水は、ニトロベンゼンおよびフェニルアミンの少なくとも１つを含む、請求項１９に記載の処理システム。
【発明の詳細な説明】
【背景技術】
【０００１】
本開示に他に指示がない限り、本欄に記載されている資料は、本願の特許請求の範囲に関する先行技術に相当せず、本欄に含まれることにより先行技術であると認められるものではない。
【０００２】
多数の源から廃棄物が生じる可能性がある。そのような廃棄物は、不適切に処分された場合、汚染を生じる可能性がある。汚染の問題に対処するために、廃棄物が処理される場合がある。廃棄物の処理において、時として、廃棄物中のある成分（単数または複数）を除去することが望ましい場合がある。
【発明の概要】
【０００３】
一例では、処理システムが概して説明されている。該処理システムは、廃棄物を受容するのに有効な容器を含んでいてもよい。処理システムは、容器と連通している濾過器をさらに含んでいてもよい。濾過器は、高分子担体物質を含んでいてもよい。高分子担体物質は、スフィンゴモナス属（Ｓｐｈｉｎｇｏｍｏｎａｓ）細菌、フラボバクテリウム目（Ｆｌａｖｏｂａｃｔｅｒｉａｌｅｓ）細菌、またはクリセオバクテリウム属（Ｃｈｒｙｓｅｏｂａｃｔｅｒｉｕｍ）細菌の少なくとも１つを含んでいてもよい。
【０００４】
一例では、廃棄物を処理する方法が概して説明されている。本方法は、廃棄物を受容することを含んでいてもよい。本方法は、濾過器で廃棄物を濾過することをさらに含んでいてもよい。濾過器は、少なくとも１つの高分子担体物質を含んでいてもよい。高分子担体物質は、スフィンゴモナス属細菌、フラボバクテリウム目細菌、およびクリセオバクテリウム属細菌の少なくとも１つを含んでいてもよい。
【０００５】
一例では、処理システムが概して説明されている。いくつかの例では、処理システムは、容器と、第１の濾過器と、第２の濾過器とを含む。容器は、廃棄物を受容するのに有効であってよい。第１の濾過器は、容器と連通していてもよい。第１の濾過器は、容器から廃棄物を受け取りかつ濾過された廃棄物を産出するのに有効であってよい。第１の濾過器は、第１の高分子担体物質中に第１の細菌を含んでいてもよい。第１の細菌は、スフィンゴモナス属細菌、フラボバクテリウム目細菌、およびクリセオバクテリウム属細菌の少なくとも１つであってよい。第２の濾過器は、第１の濾過器と連通していてもよい。第２の濾過器は、第１の濾過器から濾過された廃棄物を受け取るのに有効であってよい。第２の濾過器は、第２の高分子担体物質中に第２の細菌を含んでいてもよい。第２の細菌は、スフィンゴモナス属細菌、フラボバクテリウム目細菌、およびクリセオバクテリウム属細菌の１つであってもよい。第１の細菌は、第２の細菌とは異なっていてよい。
【０００６】
上記概要は例示的にすぎず、決して限定的であるように意図されていない。前述の例示的態様、実施形態、および特徴に加えて、さらなる態様、実施形態、および特徴が、図面および以下の詳細な説明を参照することにより明らかになるであろう。
【０００７】
本開示の上記の特徴および他の特徴は、添付図面と併用されている以下の記載および添付の特許請求の範囲からより十分に明らかになるであろう。これらの図面は本開示によるいくつかの実施形態のみを示していることが分かることから、その範囲に関して限定的であると見なされるべきではなく、本開示は、添付図面を使用して付加的な具体性および詳細をもって記載される。
【図面の簡単な説明】
【０００８】
【図１】処理システムの例の図である。
【図２】廃棄物を処理する例示的工程の流れ図である。
【図３】廃棄物を処理するのに利用することができるコンピュータプログラム製品の図である。
【図４】廃棄物を処理するようになされている例示的コンピュータデバイスを示すブロック図である。
【発明を実施するための形態】
【０００９】
図面は全て、本明細書に記載されている少なくともいくつかの実施形態に基づいて用意されている。
【００１０】
以下の詳細な説明では、本明細書の一部を成す添付図面を参照する場合がある。図面では、他に特に指示がない限り、同様の符号は通常、同様の構成要素を特定する。詳細な説明、図面、および特許請求の範囲に記載されている例示的実施形態は、限定的であると理解されるべきではない。本明細書に示されている主題の精神または範囲から逸脱することなく、他の実施形態が利用されてもよく、他の変更が施されてもよい。本開示に概して記載されておりかつ図に示されている本開示の態様は、様々な異なる構成において用意し、置換し、組み合わせ、分離し、設計することができることが容易に分かるであろう。それらの全ては、本開示において明示的に検討されてもよい。
【００１１】
本開示は、全般的に、とりわけ、廃棄物の処理に関連する方法、装置、システム、デバイス、およびコンピュータプログラム製品に関連している。
【００１２】
簡潔にいえば、技術が、全般的に、廃棄物を処理する処理システムおよび方法に関して記載されている。いくつかの例では、処理システムは、廃棄物を受容するのに有効な容器を含んでいてもよい。処理システムは、容器と連通している１つまたは複数の濾過器をさらに含んでいてもよい。単数または複数の濾過器は、高分子担体物質を含んでいてもよい。高分子担体物質は、スフィンゴモナス属細菌、フラボバクテリウム目細菌、またはクリセオバクテリウム属細菌の少なくとも１つを含んでいてもよい。
【００１３】
図１は、本明細書に示されている少なくともいくつかの実施形態に従って用意することができる処理システム１００の例を示す。以下により詳細に記載されている通り、処理システム１００は、容器１０４、ポンプ１１１、均等化槽１１２、沈殿槽１１４、調整槽１１５、および／または１つまたは複数の濾過器（単数または複数）１０２を含んでいてもよく、濾過器１０２は、第２の濾過器１０２ｂと連通している第１の濾過器１０２ａを含んでいてもよい。いくつかの例では、容器１０４は、廃棄物１０１を受容するのに有効であってよい。これら要素の少なくともいくつかは、通信リンク１６２によりプロセッサ１５６と通信しているようになされていてもよい。いくつかの例では、プロセッサ１５６は、格納されている命令１６０を含むメモリ１５８と通信するように適合されていてもよい。プロセッサ１５６は、命令１６０などにより、後述の動作の少なくともいくつかを制御するように構成されていてもよい。ポンプ１１１は、容器１０４からの廃棄物１０１を均等化槽１１２、沈殿槽１１４、および濾過器（単数または複数）１０２を通して送るのに有効であってよい。
【００１４】
以下により詳細に検討されている通り、処理システム１００は、廃棄物１１１を受容し、処理し、容器１３０内で、濾過された廃棄物１２４を産出するのに有効であってよい。容器１０４は、所望の量の廃棄物１０１を受容するのに有効な１つもしくは複数の大きさの、保持器または貯蔵タンクの１つもしくは複数であってもよい。濾過された廃棄物１２４は、酸化微量電気分解（oxidation-micro-electrolysis）、凝固、および／または沈殿等により、セルまたはタンク１３２内でさらに処理されてもよい。
【００１５】
廃棄物１０１のいくつかの例が、有機プロセスの望ましくない成分および／または副産物である可能性がある。いくつかの特定の有機プロセスが、産業プロセス、化学反応プロセスおよび／または商業化学反応プロセスであり得る。化学反応プロセスおよび／または商業化学反応プロセスのいくつかの例には、トリニトロトルエン（ＴＮＴ）の産出から得られる有機廃水処理が含まれる可能性がある。
【００１６】
廃棄物１０１のいくつかの例には、ＴＮＴおよびその嫌気的代謝産物が含まれる可能性がある。ＴＮＴのいくつかの嫌気的代謝産物には、ニトロベンゼン（単数または複数）およびフェニルアミン（単数または複数）が含まれる可能性がある。ＴＮＴの嫌気的代謝産物のいくつかの例には、アンモニア、窒素、アニリン、ヘキサン酸、およびヘプタン酸が含まれる。ＴＮＴの産出から得られる有機廃棄物のいくつかの例には、ＴＮＴ減圧水、ＴＮＴを含有する赤潮、２，４ジニトロ−トルエン（ＤＮＴ）、および２−ニトロトルエン（ＭＮＴ）等が含まれる可能性がある。
【００１７】
いくつかの例では、廃棄物１０１が、約１ｍｇ／Ｌから約２００ｍｇ／Ｌまで、具体的には約５ｍｇ／Ｌから約１５０ｍｇ／Ｌまで、さらに具体的には約１０ｍｇ／Ｌから約１２０ｍｇ／ＬまでのＴＮＴ濃度を有していてもよい。
【００１８】
処理システム１００の一例には、容器１０４と連通している１つまたは複数の濾過器（単数または複数）１０２が含まれていてよい。濾過器（単数または複数）１０２のいくつかの例には、機械的濾過器および／または生物学的濾過器が含まれていてよい。濾過器（単数または複数）１０２は、構成要素を連結する際に使用される任意の構造により、容器１０４と連通していてもよく、管類、配管、パイプライン、流体コネクタ、通路、導管等を含んでいてもよい。濾過器（単数または複数）１０２のいくつかの例には、ハウジング１１０内に固定化微生物１０６を含む高分子担体１０８が含まれていてよい。高分子担体物質１０８は、網材料１２０により封入されて、ハウジング１１０内での高分子担体物質１０８の固定を実現してもよい。網材料１２０のいくつのかの例は、繊維ガラス網等である可能性がある。
【００１９】
均等化槽１１２が廃棄物１０１を受容し、そのｐＨを約６から約９までのｐＨに調整して、均等化廃棄物１２６を産出するのに有効であってよい。沈殿槽１１４が、均等化廃棄物１２６を受容し、懸濁物を除去して、均等化沈殿廃棄物１２８を産出するのに有効であってよい。いくつかの例では、均等化廃棄物１２６は、例として約２時間などの所定の時間、沈殿槽１１４内に残存していてもよい。処理システム１００のいくつかの例は、廃棄物１０１の供給に対して任意の順序で使用される均等化槽１１２および沈殿槽１１４を有していてもよい。
【００２０】
いくつかの例では、均等化槽１１２が、化学緩衝剤などの化学溶液１１６を含んでいてもよい。化学溶液１１６のいくつかの例は塩基性溶液であってよい。塩基性溶液の一例は水酸化ナトリウム溶液であってよい。水酸化ナトリウム溶液のいくつかの例は、前述のｐＨ調整を達成するのに十分なものであってよい。化学溶液１１６のいくつかの例は、１０％水酸化ナトリウム溶液であってよい。処理システム１００の一例では、均等化槽１１２はまた、質量および体積の均等化をもたらしてもよい。均等化槽１１２は、ミキサおよび／またはエアレータを含んでいてもよい。質量および体積の均等化は、流入濃度が均等化槽内でよく混ざることを確実にすることを助ける可能性がある。均等化は、生物学的濾過器１０２に対する望ましくない影響を回避するのを助ける可能性がある。
【００２１】
いくつかの例では、廃棄物１０１が、約６時間から約２４時間までの時間、摂氏約１８度から摂氏約３５度までの温度で、均等化槽１１２内に保管されて、均等化廃棄物１２６を産出してもよい。
【００２２】
いくつかの例では、沈殿槽１１４は、均等化廃棄物１２６から懸濁物１１８を分離するのに有効であってよい。懸濁物１１８のいくつかの例には、無機塵等が含まれていてよい。均等化槽１１２および／または沈殿槽１１４は、６より下もしくは９より上などの望ましくないｐＨ値への暴露、および／または濾過器（単数または複数）１０２を損なうかまたは損傷させる可能性がある懸濁物への暴露から、濾過器（単数または複数）１０２を保護するのに有効である可能性があってよい。
【００２３】
処理システム１００の一例では、化学溶液１１６が、容器１０４から均等化槽１１２への廃棄物１０１の供給の前に、均等化槽１１２内に存在していてもよい。処理システム１００の一例では、化学溶液１１６は、容器１０４から均等化槽１１２へ廃棄物１０１を供給した後に、均等化槽１１２内に供給されてもよい。処理システム１００の一例では、廃棄物１０１は、化学溶液１１６と同時に、容器１０４から均等化槽１１２へ供給されてもよい。調整槽１１５が使用されて、均等化され沈殿した廃棄物１２８の量を調整してもよい。
【００２４】
ハウジング１１０のいくつかの例には、タンクまたは反応器の例などの保持デバイスが含まれる可能性がある。微生物のいくつかの例には、細菌および／または真菌１０６が含まれる可能性がある。濾過器（単数または複数）１０２が固定化微生物を含んでいてもよく、固定化微生物嫌気濾過器（単数または複数）（Ｉ−ＡＦ）または固定化微生物生物学的曝気濾過器（ａｅｒａｔｅｄ  ｆｉｌｔｅｒ）（単数または複数）（Ｉ−ＢＡＦ）であってもよい。
【００２５】
処理システム１００のいくつかの例が、約１０時間から約２０時間までの水理学的滞留時間（ＨＲＴ）を有する可能性がある濾過器（単数または複数）１０２として、Ｉ−ＡＦ濾過器を含んでいてもよい。処理システム１００のいくつかの例が、約１０時間から約２０時間までのＨＲＴを有する可能性がある濾過器（単数または複数）１０２として、Ｉ−ＢＡＦ濾過器を含んでいてもよい。ＨＲＴは、式：（濾過器１０２の体積）／（濾過器１０２内に入る廃棄物１０１の流量）により決定されてもよい。
【００２６】
Ｉ−ＡＦ濾過器またはＩ−ＢＡＦ濾過器の体積のいくつかの例には、約５０ｍ３から約１５０ｍ３までが含まれる。Ｉ−ＡＦ濾過器またはＩ−ＢＡＦ濾過器の流量のいくつかの例には、約２から約８ｍ３／ｍ２ｄが含まれる。
【００２７】
処理システム１００のいくつかの例が、約７時間から約１２時間までの接触時間を実際に示す可能性がある濾過器（単数または複数）１０２として、Ｉ−ＡＦ濾過器を含んでいてもよい。接触時間の一例が、式：（高分子担体物質１０８の体積）／（濾過器１０２内に入る廃棄物１０１の流量）により決定されてもよい。処理システム１００のいくつかの例では、濾過器（単数または複数）１０２などのＩ−ＢＡＦ濾過器のＨＲＴ時間および接触時間は、前述のＩ−ＡＦ濾過器のＨＲＴおよび接触時間と同一にすることができる。高分子担体物質１０８の体積のいくつかの例は、約３０ｍ３から約９０ｍ３までである可能性がある。
【００２８】
処理システム１００のいくつかの例が、ニトロベンゼン（単数もしくは複数）および／または他の酸化物質を濾過するのに使用されてもよい濾過器（単数または複数）１０２として、Ｉ−ＡＦ濾過器を含んでいてもよい。処理システム１００のいくつかの例では、濾過器（単数または複数）１０２は、フェニルアミン（単数もしくは複数）および他の有機物質を除去するのに使用されてもよいＩ−ＢＡＦ濾過器を含んでいてもよい。有機物質のいくつかの他の例は、ヘキサン酸またはヘプタン酸である可能性がある。
【００２９】
高分子担体物質１０８のいくつかの例には、たとえばポリウレタンフォーム担体などのポリウレタン担体が含まれる可能性がある。高分子担体物質１０８は、ポリエステル担体等を含んでいてもよい。細菌および／または真菌１０６のいくつかの例には、たとえばスフィンゴモナス属種細菌などのスフィンゴモナス属細菌、たとえばフラボバクテリウム目種細菌などのフラボバクテリウム目細菌、またはたとえばクリセオバクテリウム属種細菌などのクリセオバクテリウム属細菌の少なくとも１つが含まれる可能性がある。細菌および／または真菌１０６のいくつかの例には、シュードモナス属（Ｐｓｅｕｄｏｍｏｎａｓ）種細菌、シュードモナスプチダ（Ｐｓｅｕｄｏｍｏｎａｓ  ｐｕｔｉｄａ）種細菌、ラオウルテラテリジェナ（Ｒａｏｕｌｔｅｌｌａ  ｔｅｒｒｉｇｅｎａ）種細菌が含まれる可能性がある。細菌および／または真菌１０６の一例が真菌（Ｆｕｎｇｉ）種を含む。いくつかの例では、細菌に空気を与えて、該細菌を環境に適応させてもよい。
【００３０】
いくつかの例では、処理システム１００は、図１に矢印で示されている方法で、廃棄物１０１が容器１０４から濾過器１０２ａまたは濾過器１０２ｂへ供給されてもよいように動作することができる。たとえば、均等化され沈殿した廃棄物１２８が、引力を使用してかつ／またはポンプ１１１を使用して、濾過器を通して供給されてもよい。いくつかの例では、均等化され沈殿した廃棄物１２８は、高分子担体物質１０８の下の位置で、濾過器（単数または複数）１０２内に供給されてもよい。処理システム１００のある例では、第１の濾過器１０２ａは、高分子担体物質１０８中にシュードモナス属種およびスフィンゴモナス属種を含むＩ−ＡＦ濾過器を含んでいてもよく、第２の濾過器１０２ｂは、高分子担体物質１０８中にフラボバクテリウム目種およびクリセオバクテリウム属種を含むＩ−ＢＡＦ濾過器を含んでいてもよい。いくつかの例では、濾過器（単数または複数）１０２内への廃棄物１２８の供給は、廃棄物１０１中に比べて、濾過された廃棄物１２４中の低レベルの有機プロセスの成分および／または副産物をもたらす可能性がある。第１の濾過器１０２ａおよび／または第２の濾過器１０２ｂ内の細菌および／または真菌１０６の所望の量の一例には、約１０ｇ／Ｌから約４０ｇ／Ｌまでが含まれる可能性がある。
【００３１】
廃棄物１０１中の有機プロセスの成分および／または副産物のレベルのいくつかの例には、ＴＮＴおよびＴＮＴ副産物またはＴＮＴを作るための反応成分（ｒｅａｃｔｉｏｎ  ｃｏｍｐｏｎｅｎｔ）の例が含まれる可能性がある。一例では、いくらかのレベルのＴＮＴおよびＴＮＴ副産物またはＴＮＴを作るための反応成分が、濾過器（単数または複数）１０２により濾過された後に、濾過された廃棄物１２４中に存在している可能性がある。濾過された廃棄物１２４のいくつかの例が、約１ｍｇ／Ｌから約４００ｍｇ／Ｌまでのあるレベルの化学的酸素要求量（ＣＯＤ：ｃｈｅｍｉｃａｌ  ｏｘｙｇｅｎ  ｄｅｍａｎｄ）を有していてもよい。濾過された廃棄物１２４のＣＯＤの一例が、約５ｍｇ／Ｌから約３５０ｍｇ／Ｌまでである可能性がある。
【００３２】
第１の濾過器１０２ａは、第２の濾過器１０２ｂとは異なっていて（ｂｅ  ｄｉｓｔｉｎｃｔ  ｏｒ  ｄｉｆｆｅｒｅｎｔ  ｆｒｏｍ）もよい。第２の濾過器１０２ｂは、一例では、濾過器１０２ａ内の細菌および／または真菌１０６と同一のまたは異なる可能性のある第２の細菌および／または真菌１０６を高分子担体物質１０８中に含んでいてもよい。第２の濾過器１０２ｂのいくつかの例は、第１の濾過器１０２ａの高分子担体物質１０８と同一のまたは異なる高分子担体物質１０８を含んでいる可能性がある。
【００３３】
いくつかの例では、処理システム１００は、図示の通り直列して連結されている、２つ以上の第１の濾過器１０２ａおよび／または２つ以上の第２の濾過器１０２ｂを含んでいてもよく、１つの濾過器の出力は別の濾過器の入力内に送り込まれる。いくつかの例では、処理システム１００は、並列して連結されている、２つ以上の第１の濾過器１０２ａおよび／または２つ以上の第２の濾過器１０２ｂを含んでいてもよく、１つの濾過器の出力が別の濾過器の入力内に送り込まれない。一例では、３つのＩ−ＡＦ第１の濾過器１０２ａが直列して連結されて、３つのレベルの濾過器を形成していてもよい。一例では、５つのＩ−ＢＡＦ第２の濾過器１０２ｂが直列して連結されて、５つのレベルの濾過器を形成していてもよい。処理システム１００のいくつかの例が、約１５℃から約４０℃までの温度で動作し得るＩ−ＡＦ濾過器１０２ａおよび／またはＩ−ＢＡＦ濾過器１０２ｂを含んでいる可能性がある。
【００３４】
いくつかの例では、細菌および／または真菌１０６が、約１５日から約３０日までなどの順化期間で細菌および／または真菌１０６を廃棄物１０１に暴露することにより、かつ／あるいは細菌および／または真菌１０６にリン酸塩を与えることにより、廃棄物１０１に順化する可能性がある。
【００３５】
他の考えられる利益の中で、本開示によるシステムが、微生物の毒素免疫を向上させ、それにより、ＴＮＴおよび他のニトロベンゼン物質の効率的な生物学的除去を達成する可能性がある。微生物のＴＮＴおよび他のニトロベンゼン汚染物質の中毒性副作用が回避される可能性がある。微生物の順化は比較的短時間である可能性があり、本開示によるシステムが比較的迅速に開始することができる可能性がある。ＴＮＴおよび他の汚染物質は固定化微生物により分解される可能性があり、その結果、処理コストが低減する可能性がある。他の生理化学的汚染物質の移動に起因する二次汚染物質が回避される可能性がある。
【００３６】
図２は、本明細書に記載されている少なくともいくつかの実施形態による、廃棄物を処理する例示的工程２００の流れ図を示す。図２の工程は、たとえば前段で検討されているシステム１００を使用して、実施することができるであろう。例示的工程が、１つもしくは複数のブロックＳ２、Ｓ４、Ｓ６および／またはＳ８で示されている、１つもしくは複数の作業工程、動作、または機能を含んでいてもよい。別個のブロックとして示されているが、種々のブロックは、所望の実施に応じて、付加的ブロックに分割されるか、より少ないブロックに組み合わせられるか、または除去されてもよい。処理はブロックＳ２で開始してもよい。
【００３７】
ブロックＳ２において、システムは、廃棄物を均等化槽内に供給して、均等化された廃棄物を産出するように構成されていてもよい。処理はブロックＳ２からブロックＳ４へと続いてもよい。
【００３８】
ブロックＳ４において、システムは、均等化された廃棄物を沈殿槽内に供給して、均等化され沈殿した廃棄物を産出するように構成されていてもよい。処理はブロックＳ４からブロックＳ６へと続いてもよい。
【００３９】
ブロックＳ６において、システムは、均等化され沈殿した廃棄物を第１の濾過器内に供給して、濾過された廃棄物を産出するように構成されていてもよい。いくつかの例では、第１の濾過器は、スフィンゴモナス属細菌、フラボバクテリウム目細菌、またはクリセオバクテリウム属細菌を含んでいてもよい。処理はブロックＳ６からブロックＳ８へと続いてもよい。
【００４０】
ブロックＳ８において、システムは、濾過された廃棄物を第２の濾過器内に供給するように構成されていてもよい。いくつかの例では、第２の濾過器は、スフィンゴモナス属細菌、フラボバクテリウム目細菌、またはクリセオバクテリウム属細菌を含んでいてもよい。
【００４１】
ある実施例では、廃棄物または廃水の処理が、生理化学的前処理および生物化学的処理を含んでいてもよい。生理化学的前処理は、３段階微量電気分解、均等化、沈殿、および調整槽の使用などの４つの手順を含んでいてもよい。生物化学的処理は、３段階固定化微生物生物学的濾過器Ｉ−ＡＦと５段階固定化微生物生物学的濾過器Ｉ−ＢＡＦとを含んでいてもよい。
【００４２】
微量電気分解手順では、処理システムが、廃水中のニトロ化合物をアニリン化合物に変換し、廃水の生分解性およびｐＨ値を向上させてもよい。微量電気分解は、３段階系の容器１０１などのデバイスを用いて実施されてもよく、各段階におけるデバイスは、０．５５ｍ３の有効反応体積（ｅｆｆｅｃｔｉｖｅ  ｒｅａｃｔｉｏｎ  ｖｏｌｕｍｅ）を有していてもよい。廃水は、ポンプ１１１などによりポンプで送ることにより、または工場の既存の廃水排水路を使用することにより、持ち上げられて微量電気分解デバイス内に送り込まれてもよい。
【００４３】
均等化手順では、処理システムが廃水のｐＨ値を調整して、沈殿槽１１８内での沈殿のために、微量電気分解手順中に生成される第二鉄イオンおよび第一鉄イオンを水酸化第二鉄および水酸化第一鉄に変換してもよい。本均等化手順の主要な装置は、アルカリ添加デバイスなどの均等化槽１１２であってもよい。該槽は、均等化槽から外へ供給される均等化廃水１２６が７より大きいｐＨ値を有することを確実にする可能性がある。均等化槽の底部には、曝気導管（ａｅｒａｔｅｄ  ｃｏｎｄｕｉｔ）が設けられており、完全な反応のために廃水が激しく混合されることを助けてもよい。
【００４４】
沈殿手順では、沈殿処理が均等化廃水１２６において実施されてもよい。結果として得られる均等化され沈殿した廃棄物は、集水調整槽１１５内に入れられてもよい。該集水調整槽は、廃水の質および量を調整するのに使用されてもよく、均等化され沈殿した廃水にリン酸塩を添加して、生物学的処理および安定性を確実にしてもよい。
【００４５】
生物化学的処理では、均等化され沈殿した廃水が、集水調整槽１１５からＩ−ＢＡＦ濾過器１０２へ供給されてもよい。Ｉ−ＢＡＦ生物化学的処理手順では、４段階生物化学的処理濾過器１０２が使用されてもよい。各段階における各濾過器１０２は、約１．８ｍ３の平均体積を有していてもよく、下部が入口として使用されてもよく、一方、上部が出口として使用されてもよい。濾過器は、約６０％の体積を有する担体を有していてもよく、また、濾過器１０２の底部に曝気システムを有していてもよい。該曝気システムでは、空気が濾過器の底部を通って進入してもよく、微生物が濾過器１０２内に添加されてもよい。
【００４６】
本実施例では、前処理において、廃水を容器内にポンプで送り、廃水は、１０％水酸化ナトリウムを用いてｐＨ７〜９に調整した。均等化された廃水を沈殿槽内に供給した。結果として得られる上澄みを調整槽内に供給し、そこでリン酸三ナトリウムを添加した。調整槽内の廃水は、３段階Ｉ−ＡＦから５段階Ｉ−ＢＡＦへ連続的に供給した。Ｉ−ＢＡＦが水で満たされた後、曝気を開始し、スフィンゴモナス属細菌、フラボバクテリウム目細菌、およびクリセオバクテリウム属細菌などの微生物を比例して添加した。３日後、各濾過器の汚染指標を監視し、次いで、廃水流入を約０．２５ｍ３／ｈで制御し、各濾過器のｐＨ値を約６〜９に維持し、温度は約１８〜３５℃であった。微生物の培養、順化、および固定化の期間は、約１５日から約３０日であった。
本実施例では、関連指標の試験結果の概要が以下の通りであった：
【００４７】
【表１】
2013545596.tif 000003
【００４８】
ある実施例では、モノ硝酸塩アルカリ性赤潮の廃棄物または廃水の処理工程が、前処理、生物化学的処理、および／または後処理を含んでいてもよい。前処理手順は、硝酸塩アルカリ性赤潮の酸性化と、微量電気分解と、凝固と、沈殿とを含んでいてもよい。前処理されたＴＮＴ酸性廃水とＴＮＴ真空濃縮水とが混合され、均等化のために調整され、栄養物で満たされる。生物化学的処理は、３段階固定化微生物生物学的濾過器Ｉ−ＡＦおよび／または５段階固定化微生物生物学的濾過器Ｉ−ＢＡＦを含んでいてもよい。後処理は確認として用いられてもよく、酸化微量電気分解と、凝固と、沈殿とを含んでいてもよい。
【００４９】
本実施例では、前処理手順において、硝酸塩アルカリ性赤潮を調整沈殿槽内にポンプで送った。沈殿した硝酸塩アルカリ性赤潮を、５０Ｌ／ｈの流量で酸性化槽内にポンプで送った。廃水を産出した工場で生成され回収された濃縮硫酸を、酸性化のために酸性化槽内に添加した。酸性化後に結果として得られる上澄みを、微量電気分解セル内に供給した。微量電気分解は、上部水入口および下部水入口を使用するようになされている。微量電気分解後に結果として得られる水を凝固反応槽内に供給した。ＮａＯＨ塩基を凝固反応槽内に添加した。０．３％ＰＡＭ（ポリアクリルアミド）溶液を、水１トン当たり約０．２Ｌの量で凝固反応槽内に添加した。凝固反応槽の底部で曝気を用いた。凝固反応槽からの水収量を沈殿槽内に供給した。沈殿した廃水を調整槽内に供給した。結果として得られる前処理された硝酸塩アルカリ性赤潮を調整均等化槽内にポンプで送り、ＴＮＴ酸性廃水と混合した。ここで、前処理された硝酸塩アルカリ性赤潮とＴＮＴ酸性廃水の混合比は１：１．５であった。
【００５０】
ＮａＯＨ塩基およびリン酸三ナトリウムを均等化槽に添加した。廃水のｐＨ値が生物化学的濾過器の条件を満たした後、混合された廃水を、固定化微生物生物学的濾過器Ｉ−ＡＦおよび／またはＩ−ＢＡＦ内にポンプで送った。Ｉ−ＡＦは嫌気濾過器であり、一方、Ｉ−ＢＡＦは生物学的曝気濾過器であった。両濾過器は、１２５Ｌ／ｈの水流入を有していた。
【００５１】
廃水を８段階Ｉ−ＡＦ／Ｉ−ＢＡＦ内に供給し、濾過器内の温度を約１５〜３５℃に維持した。生物化学的濾過器から結果として得られる濾過された水を、酸化微量電気分解セルなどの後処理容器（単数または複数）１３２内に供給した。
【００５２】
酸化微量電気分解セルの入口での希釈後に、濃縮硫酸を滴加して添加し、濾過された水のｐＨ値を約３．５〜５に調整した。３０％過酸化水素溶液を、水１トン当たり５Ｌの量で、微量電気分解セルの出口で添加した。酸化微量電気分解セルから得られる水を反応凝固槽内に供給した。
【００５３】
廃水が反応凝固槽に進入した後、該反応槽内で過酸化水素と廃水との間で反応を実施した。反応槽の底部に散気管を設けた。該槽の水出口で塩基を添加して、中和反応を促進した。収量水はそのｐＨを約７〜９の範囲内に制御した。
【００５４】
反応凝固槽の反応において中和反応から得られる水を凝固部内に供給した。０．３％ＰＡＭを含む溶液を凝固部内に添加した。攪拌のために、凝固部の底部に曝気システムを設けた。反応凝固槽からの水収量を二次沈殿槽内に供給した。沈殿した水を検出器セル内に供給した。
【００５５】
本実施例では、ニトロ化合物、フェニルアミン、および他の指標の試験結果の概要が以下の通りであった：
【００５６】
【表２】
2013545596.tif 000004
【００５７】
本実施例におけるＣＯＤｃｒ試験結果の概要が以下の通りであった：
【００５８】
【表３】
2013545596.tif 000005
【００５９】
図３は、本明細書に記載されている少なくともいくつかの実施形態に従って用意されている廃棄物を処理するのに利用することができるコンピュータプログラム製品を示す。プログラム製品３００は、信号搬送媒体３０２を含んでいてもよい。信号搬送媒体３０２は、たとえばプロセッサにより実行された場合に図１および図２に関して前述の機能性を実現する可能性のある１つまたは複数の命令３０４を含んでいてもよい。したがって、たとえばシステム１００を参照すると、プロセッサ１５６は、媒体３０２によりシステム１００に搬送される命令３０４に応答して、図３に示されているブロックの１つまたは複数を開始してもよい。
【００６０】
いくつかの実施では、信号搬送媒体３０２が、限定されないがハードディスクドライブ、コンパクトディスク（ＣＤ）、デジタルビデオディスク（ＤＶＤ）、デジタルテープ、メモリ等のコンピュータ可読媒体３０６を包含していてもよい。いくつかの実施では、信号搬送媒体３０２は、限定されないがメモリ、読み書き（Ｒ／Ｗ）ＣＤ、Ｒ／Ｗ  ＤＶＤ等の記録可能な媒体３０８を包含していてもよい。いくつかの実施では、信号搬送媒体３０２は、限定されないがデジタルおよび／またはアナログ通信媒体（たとえば、光ファイバケーブル、導波管、有線通信リンク、無線通信リンク等）などの通信媒体３１０を包含していてもよい。したがって、たとえば、プログラム製品３００は、ＲＦ信号搬送媒体３０２により、システム１００の１つまたは複数のモジュールに搬送されてもよく、信号搬送媒体３０２は、無線通信媒体３１０（たとえば、ＩＥＥＥ８０２．１１標準に準拠する無線通信媒体）により搬送される。
【００６１】
図４は、本明細書に記載されている少なくともいくつかの実施形態に従って用意されている廃棄物の処理を実施するようになされている例示的コンピュータデバイスを示すブロック図である。非常に基本的な構成４０２では、コンピュータデバイス４００が通常は１つまたは複数のプロセッサ４０４とシステムメモリ４０６とを含む。メモリバス４０８が、プロセッサ４０４とシステムメモリ４０６との間で通信するために使用されてもよい。
【００６２】
所望の構成に応じて、プロセッサ４０４が、マイクロプロセッサ（μＰ）、マイクロコントローラ（μＣ）、デジタル信号プロセッサ（ＤＳＰ）、またはそれらの任意の組合せを含むがそれらに限定されない、任意のタイプであってもよい。プロセッサ４０４は、レベル１キャッシュ４１０およびレベル２キャッシュ４１２などの１つまたは複数のキャッシュレベルと、プロセッサコア４１４と、レジスタ４１６とを含んでいてもよい。例示的プロセッサコア４１４が、算術論理演算ユニット（ＡＬＵ）、浮動小数点演算ユニット（ＦＰＵ）、デジタル信号処理コア（ＤＳＰ  Ｃｏｒｅ）、またはそれらの任意の組合せを含んでいてもよい。また、例示的メモリコントローラ４１８がプロセッサ４０４と共に使用されてもよく、またはいくつかの実施では、メモリコントローラ４１８が、プロセッサ４０４の内部部品であってもよい。
【００６３】
所望の構成に応じて、システムメモリ４０６が、（ＲＡＭなどの）揮発性メモリ、（ＲＯＭ、フラッシュメモリ等の）不揮発性メモリまたはそれらの任意の組合せを含むがそれらに限定されない、任意のタイプであってもよい。システムメモリ４０６は、オペレーティングシステム４２０と、１つまたは複数のアプリケーション４２２と、プログラムデータ４２４とを含んでいてもよい。アプリケーション４２２は、図１のシステム１００に関して記載されているものを含む、本明細書に記載されている機能を実施するようになされている廃棄物処理アルゴリズム４２６を含んでいてもよい。プログラムデータ４２４は、本明細書に記載されている通り廃棄物を処理するために有用である可能性がある廃棄物処理データ４２８を含んでいてもよい。いくつかの実施形態では、アプリケーション４２２は、廃棄物処理が実現され得るように、オペレーティングシステム４２０上でプログラムデータ４２４を用いて動作するようになされていてもよい。この記載されている基本的構成４０２は、内側の点線の範囲内の構成要素により図４に示されている。
【００６４】
コンピュータデバイス４００が、付加的な特徴または機能性、および付加的なインターフェースを有していて、基本的構成４０２と任意の必要なデバイスおよびインターフェースとの間の通信を容易にしてもよい。たとえば、バス／インターフェースコントローラ４３０が使用されて、記憶インターフェースバス４３４を介して基本的構成４０２と１つまたは複数のデータ記憶デバイス４３２との間の通信を容易にしてもよい。データ記憶デバイス４３２は、取外し可能な記憶デバイス４３６、取外し不可能な記憶デバイス４３８、またはそれらの組合せであってもよい。取外し可能な記憶デバイスおよび取外し不可能な記憶デバイスの例には、２〜３例を挙げると、フレキシブルディスクドライブおよびハードディスクドライブ（ＨＤＤ）などの磁気ディスクデバイスと、コンパクトディスク（ＣＤ）ドライブまたはデジタル多用途ディスク（ＤＶＤ）ドライブなどの光ディスクドライブと、半導体ドライブ（ＳＳＤ）と、テープドライブとが含まれる。例示的コンピュータ記憶媒体が、コンピュータ可読命令、データ構造、プログラムモジュールまたは他のデータなどの情報を格納するために任意の方法または技術で実施される、揮発性媒体および不揮発性媒体、取外し可能な媒体および取外し不可能な媒体を含んでいてもよい。
【００６５】
システムメモリ４０６、取外し可能な記憶デバイス４３６および取外し不可能な記憶デバイス４３８は、コンピュータ記憶媒体の例である。コンピュータ記憶媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）もしくは他の光記憶、磁気カセット、磁気テープ、磁気ディスク記憶もしくは他の磁気記憶デバイス、または所望の情報を格納するのに使用されてもよくかつコンピュータデバイス４００によりアクセスされてもよい任意の他の媒体を含むが、それらに限定されない。任意のそのようなコンピュータ記憶媒体が、コンピュータデバイス４００の一部であってもよい。
【００６６】
また、コンピュータデバイス４００が、バス／インターフェースコントローラ４３０を介した、種々のインターフェースデバイス（たとえば、出力デバイス４４２、周辺インターフェース４４４、および通信デバイス４４６）から基本的構成４０２への通信を容易にするインターフェースバス４４０を含んでいてもよい。例示的出力デバイス４４２は、グラフィックスプロセシングユニット４４８とオーディオプロセシングユニット４５０とを含み、それらは、１つまたは複数のＡ／Ｖポート４５２を介して、ディスプレーまたはスピーカなどの種々の外部デバイスと通信するように構成されていてもよい。例示的周辺インターフェース４４４は、シリアルインターフェースコントローラ４５４またはパラレルインターフェースコントローラ４５６を含み、それは、１つまたは複数のＩ／Ｏポート４５８を介して、入力デバイス（たとえば、キーボード、マウス、ペン、音声入力デバイス、タッチ入力デバイス等）または他の周辺機器（たとえば、プリンタ、スキャナ等）などの外部デバイスと通信するように構成されていてもよい。例示的通信デバイス４４６は、１つまたは複数の通信ポート４６４を介して、ネットワーク通信リンクにより、１つまたは複数の他のコンピュータデバイス４６２との通信を容易にするようになされていてもよいネットワークコントローラ４６０を含む。
【００６７】
ネットワーク通信リンクは、通信媒体の一例であってもよい。通信媒体は、通常、コンピュータ可読命令、データ構造、プログラムモジュール、または搬送波または他の移送機構などの変調データ信号内の他のデータにより具体化されてもよく、任意の情報送達媒体を含んでいてもよい。「変調データ信号」が、その特性集合の１つもしくは複数を有する信号であってもよく、または情報を信号中にコード化する方法で変更されてもよい。例として、限定ではなく、通信媒体は、有線ネットワークまたは直接配線接続などの有線媒体と、音響媒体、無線周波数（ＲＦ）媒体，マイクロ波媒体、赤外線（ＩＲ）媒体および他の無線媒体などの無線媒体とを含んでいてもよい。本明細書に用いられる用語「コンピュータ可読媒体」は、記憶媒体および通信媒体の両方を含んでいてもよい。
【００６８】
コンピュータデバイス４００が、携帯電話機、パーソナルデータアシスタント（ＰＤＡ）、パーソナルメディアプレーヤデバイス、無線ウェブウォッチデバイス、パーソナルヘッドセットデバイス、特定用途向けデバイス、または上記機能のいずれかを含むハイブリッドデバイスなどのスモールフォームファクタ携帯（ｐｏｒｔａｂｌｅ  ｏｒ  ｍｏｂｉｌｅ）電子デバイスの一部分として実施されてもよい。コンピュータデバイス４００はまた、ラップトップコンピュータ構成および非ラップトップコンピュータ構成の両方を含むパソコンとして実施されてもよい。
【００６９】
本開示は、種々の態様の例示として意図されている可能性がある、本願に記載されている特定の実施形態に関して限定されない可能性がある。当業者に明らかになるであろうように、多数の修正および変形を、その精神および範囲を逸脱することなく施すことができる。本開示の範囲内に入る機能的に等価の方法および装置が、本明細書に列挙されているものに加えて、上述の説明から当業者に明らかになるであろう。そのような修正形態および変形形態は、添付の特許請求の範囲の範囲内に入ることが意図されている可能性がある。本開示は、そのような特許請求の範囲に権利が与えられている全範囲の等価物と共に、添付の特許請求の範囲の用語によってのみ限定されない可能性がある。本開示が、当然変化し得る特定の方法、試薬、化合物、成分、または生体系に限定されない可能性があることが分かる。また、本明細書において用いられている技術は、特定の実施形態を説明する目的のためのものすぎない可能性があり、限定的であることが意図されていない可能性があることが分かる。
【００７０】
本明細書における実質的に全ての複数形および／または単数形の用語の使用に対して、当業者は、状況および／または用途に適切なように、複数形から単数形に、および／または単数形から複数形に変換することができる。様々な単数形／複数形の置き換えは、理解しやすいように、本明細書で明確に説明することができる。
【００７１】
通常、本明細書において、特に添付の特許請求の範囲（たとえば、添付の特許請求の範囲の本体部）において使用される用語は、全体を通じて「オープンな（ｏｐｅｎ）」用語として意図され得ることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されなくてもよい（ｉｎｃｌｕｄｅｓ  ｂｕｔ  ｍａｙ  ｎｏｔ  ｂｅ  ｌｉｍｉｔｅｄ  ｔｏ）」と解釈されるべきである、など）。導入される請求項で具体的な数の記載が意図され得る場合、そのような意図は、当該請求項において明示的に記載されることになり、そのような記載がない場合、そのような意図は存在しなくてもよいことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（たとえば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載され得る場合でも、そのような記載は、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、少なくとも２つの記載、または２つ以上の記載を意味する）。さらに、「Ａ、ＢおよびＣ、などの少なくとも１つ」に類似の慣例表現が使用され得る事例では、通常、そのような構文は、当業者がその慣例表現を理解するであろう意味で意図され得る（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用され得る事例では、通常、そのような構文は、当業者がその慣例表現を理解するであろう意味で意図され得る（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、など��有するシステムを含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【００７２】
さらに、本開示の特徴または態様がマーカッシュグループで記載されている場合、本開示は、それにより、マーカッシュグループの任意の個々のメンバまたはメンバのサブグループでも記載されることを、当業者は認識するであろう。
【００７３】
当業者には当然のことながら、書面を提供する観点からなど、任意のかつ全ての目的のために、本明細書に開示されている全範囲は、任意のかつ全ての可能な部分的範囲およびその部分的範囲の組合せも包含する。任意の記載された範囲が、十分に説明しておりかつ同範囲を少なくとも等しい半分、３分の１、４分の１、５分の１、１０分の１等に細分することを可能にしていると、容易に理解することができる。非限定的例として、本明細書に記載されている各範囲は、下部３分の１、中部３分の１、および上部３分の１等に容易に細分することができる。また、当業者には当然のことながら、「最大〜まで」、「少なくとも」、「より大きい」、「より小さい」等の全ての言葉は、記載されている数字を含み、前述の通り、後で部分的範囲に細分することができる範囲を指す。最後に、当業者には当然のことながら、ある範囲が各個々のメンバを含む。したがって、たとえば、１〜３個のセルを有するグループが、１個、２個、または３個のセルを有するグループを指す。同様に、１〜５個のセルを有するグループが、１個、２個、３個、４個、または５個のセルを有するグループ等を指す。
【００７４】
本明細書において種々の態様および実施形態を開示したが、他の態様および実施形態が当業者に明らかになるであろう。本明細書において開示されている種々の態様および実施形態は例示目的のものであり、限定的であると見なされるべきではなく、真の範囲および精神は以下の特許請求の範囲により示されている。
【図１】
2013545596.tif 000006
【図２】
2013545596.tif 000007
【図３】
2013545596.tif 000008
【図４】
2013545596.tif 000009
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
廃棄物を受容するのに有効な容器と、
前記容器と連通している第１の濾過器であって、前記第１の濾過器は第１の高分子担体物質を含み、前記第１の高分子担体物質は第１の細菌を含み、前記第１の細菌は、スフィンゴモナス属細菌、フラボバクテリウム目細菌、またはクリセオバクテリウム属細菌の少なくとも１つを含む、第１の濾過器と、
前記第１の濾過器と連通している第２の濾過器であり、前記第２の濾過器は第２の高分子担体物質を含み、第２の高分子担体物質は第２の細菌を含み、前記第２の細菌は、スフィンゴモナス属細菌、フラボバクテリウム目細菌、またはクリセオバクテリウム属細菌の少なくとも１つを含む、第２の濾過器と
を含み、
前記第１の細菌は前記第２の細菌とは異なる、
処理システム。
【請求項２】
前記第１の濾過器は、固定化微生物嫌気濾過器または固定化微生物生物学的曝気濾過器の少なくとも１つであり、
前記第２の濾過器は、固定化微生物嫌気濾過器または固定化微生物生物学的曝気濾過器の少なくとも１つであり、
前記第１および前記第２の高分子担体物質はポリウレタンフォーム担体である、
請求項１に記載の処理システム。
【請求項３】
前記第１の濾過器は、３つのレベルの固定化微生物嫌気濾過器を含み、
前記第２の濾過器は、５つのレベルの固定化微生物生物学的曝気濾過器を含む、請求項１に記載の処理システム。
【請求項４】
前記第１の濾過器は、前記第１の高分子担体物質中にシュードモナス属種およびスフィンゴモナス属種を含む固定化微生物嫌気濾過器と、
前記第２の濾過器は、前記第２の高分子担体物質中にフラボバクテリウム目種およびクリセオバクテリウム属種を含む固定化微生物生物学的曝気濾過器と
を含む、請求項１に記載の処理システム。
【請求項５】
前記第１および第２の濾過器と連通している均等化槽であり、前記廃棄物を受容し、そのｐＨを約６から約９までに調整するのに有効である、均等化槽と、
前記第１および第２の濾過器と連通している沈殿槽であり、前記廃棄物から懸濁物を除去するのに有効である、沈殿槽と
をさらに含む、請求項１に記載の処理システム。
【請求項６】
前記廃棄物は有機廃水を含む、請求項１に記載の処理システム。
【請求項７】
前記廃棄物は、トリニトロトルエンの産出による有機廃水を含む、請求項１に記載の処理システム。
【請求項８】
トリニトロトルエンの前記産出による前記有機廃水は、ニトロベンゼンおよびフェニルアミンの少なくとも１つを含む、請求項７に記載の処理システム。
【請求項９】
廃棄物を処理する方法であって、
前記廃棄物を受容することと、
濾過された廃棄物を産出するために、第１の濾過器を通して前記廃棄物を濾過することと、
第２の濾過器を通して前記濾過された廃棄物を濾過することとを含み、
前記第１の濾過器は第１の高分子担体物質を含み、前記第１の高分子担体物質は第１の細菌を含み、前記第１の細菌はスフィンゴモナス属細菌、フラボバクテリウム目細菌、またはクリセオバクテリウム属細菌の少なくとも１つを含み、
前記第２の濾過器は第２の高分子担体物質を含み、前記第２の高分子担体物質は第２の細菌を含み、前記第２の細菌はスフィンゴモナス属細菌、フラボバクテリウム目細菌、またはクリセオバクテリウム属細菌の少なくとも１つを含み、
前記第１の細菌は前記第２の細菌とは異なる、方法。
【請求項１０】
前記第１の濾過器は前記第１の高分子担体物質中にシュードモナス属種またはスフィンゴモナス属細菌を含む固定化微生物嫌気濾過器を含み、
前記第２の濾過器は前記第２の高分子物質中にフラボバクテリウム目細菌またはクリセオバクテリウム属細菌を含む固定化微生物生物学的曝気濾過器を含む、請求項９に記載の方法。
【請求項１１】
前記第１の濾過器は、シュードモナス属種細菌およびスフィンゴモナス属細菌を含む固定化微生物嫌気濾過器であり、
前記第２の濾過器は、フラボバクテリウム目細菌およびクリセオバクテリウム属細菌を含む固定化微生物生物学的曝気濾過器である、
請求項９に記載の方法。
【請求項１２】
前記第１の濾過器は、ラオウルテラテリジェナ種をさらに含む、請求項１０に記載の方法。
【請求項１３】
前記第１の濾過器および前記第２の濾過器と連通している均等化槽に前記廃棄物を供給することであって、前記均等化槽は、前記廃棄物を受容し、そのｐＨを約６から約９までに調整するのに有効である、供給することと、
前記第１の濾過器および前記第２の濾過器と連通している沈殿槽に前記廃棄物を供給することであって、前記沈殿槽は前記廃棄物から懸濁物を除去するのに有効である、供給することと
をさらに含む、請求項９に記載の方法。
【請求項１４】
前記廃棄物は、トリニトロトルエンの産出による有機廃水を含む、請求項９に記載の方法。
【請求項１５】
前記有機廃水は、ニトロベンゼンおよびフェニルアミンの少なくとも１つを含む、請求項１４に記載の方法。
【請求項１６】
第１の濾過器であって、前記第１の濾過器は第１の高分子担体物質を含み、前記第１の高分子担体物質は第１の細菌を含み、前記第１の細菌はスフィンゴモナス属細菌、フラボバクテリウム目細菌、またはクリセオバクテリウム属細菌の少なくとも１つを含む、第１の濾過器と、
前記第１の濾過器と連通している第２の濾過器であって、前記第２の濾過器は第２の高分子担体物質中に第２の細菌を含み、前記第２の細菌はスフィンゴモナス属細菌、フラボバクテリウム目細菌、およびクリセオバクテリウム属細菌の１つである、第２の濾過器と
を含み、
前記第１の細菌は前記第２の細菌とは異なる、濾過器システム。
【請求項１７】
前記第１の濾過器は固定化微生物嫌気濾過器であり、
前記第２の濾過器は固定化微生物生物学的曝気濾過器であり、
前記第１の高分子担体物質はポリウレタンフォーム担体であり、
前記第２の高分子担体物質はポリウレタンフォーム担体である、
請求項１６に記載の濾過器システム。
【請求項１８】
前記第１の濾過器は、シュードモナス属種細菌およびスフィンゴモナス属細菌を含む固定化微生物嫌気濾過器であり、
前記第２の濾過器は、フラボバクテリウム目細菌およびクリセオバクテリウム属細菌を含む固定化微生物生物学的曝気濾過器である、
請求項１６に記載の濾過器システム。
【請求項１９】
トリニトロトルエンの産出による有機廃水をさらに含む、請求項１６に記載の濾過器システム。
【請求項２０】
前記有機廃水は、ニトロベンゼンおよびフェニルアミンの少なくとも１つを含む、請求項１９に記載の濾過器システム。
【国際調査報告】
2013545596.tif 000010
2013545596.tif 000011
2013545596.tif 000012
2013545596.tif 000013